(57)【要約】【課題】  折り畳み可能で、美粧性に優れ、その上、商品の収容がし易いラッピングボックスを提供することを目的とする。【解決手段】  内面パネルと外面パネルの二枚のブランクで本体を形成したラッピングボックスであって、内面パネルで天面が開口した四角筒箱を形成し、内面パネルを覆う外面パネルの底面と内面パネルの底面とを接着し、外面パネルの天面で開口した内面パネルを覆わせるようにし、内面パネルに突設した差し込み片を外面パネルに刻設した切れ込みに差し込んでロックして組み立て、内面パネルと外面パネルとは折り畳み可能にしたラッピングボックスとした。【選択図】  図５
2005212831.tif 000002
【特許請求の範囲】
【請求項１】
内面パネルと外面パネルの二枚のブランクで本体を形成したラッピングボックスであって、内面パネルで天面が開口した四角筒箱を形成し、内面パネルを覆う外面パネルの底面と内面パネルの底面とを接着し、外面パネルの天面で開口した内面パネルを覆わせるようにし、内面パネルに突設した差し込み片を外面パネルに刻設した切れ込みに差し込んでロックして組み立て、内面パネルと外面パネルとは折り畳み可能にしたラッピングボックス。
【発明の詳細な説明】
【技術分野】
【０００１】
本発明は、ラッピングボックスに関し、特に、折り畳み可能で保管場所を取らず、仕上がり時の美粧性に優れ、ギフトパッケージとしてそのまま使え、商品の収容がし易いものについてである。
【背景技術】
【０００２】
折り畳み可能で、美粧性に優れ、その上、商品の収容がし易いラッピングボックスは存在しない。
【特許文献１】特開２００３−００２３２０
【特許文献２】特開２００２−２５５１５９
【発明の開示】
【発明が解決しようとする課題】
【０００３】
折り畳み可能で、美粧性に優れ、その上、商品の収容がし易いラッピングボックスの提供が求められている。
【課題を解決するための手段】
【０００４】
そこで、本発明は、上記の事情に鑑み、折り畳み可能で、美粧性に優れ、その上、商品の収容がし易いラッピングボックスを提供すべく、内面パネルと外面パネルの二枚のブランクで本体を形成したラッピングボックスであって、内面パネルで天面が開口した四角筒箱を形成し、内面パネルを覆う外面パネルの底面と内面パネルの底面とを接着し、外面パネルの天面で開口した内面パネルを覆わせるようにし、内面パネルに突設した差し込み片を外面パネルに刻設した切れ込みに差し込んでロックして組み立て、内面パネルと外面パネルとは折り畳み可能にしたラッピングボックスとした。
【発明の効果】
【０００５】
本発明は、内面パネルで天面が開口した四角筒箱を形成し、内面パネルを覆う外面パネルの底面と内面パネルの底面とを接着し、外面パネルの天面で開口した内面パネルを覆わせるようにし、内面パネルに突設した差し込み片を外面パネルに刻設した切れ込みに差し込んでロックして組み立て、内面パネルと外面パネルとは折り畳み可能にしたラッピングボックスであるので、折り畳み可能で、美粧性に優れ、その上、商品の収容がし易いラッピングボックスの提供ができる。
【発明を実施するための最良の形態】
【０００６】
本発明を添付する図面の具体的実施例に基づいて、以下詳細に説明する。
【０００７】
図１は本発明の内面パネル１の展開図、図２は本発明の外面パネル２の展開図、図３は内面パネル１の底面３に外面パネル２の底面４を接着した平面図、図４は内面パネル１を折り畳んだ状態の平面図、図５は本ラッピングボックスを組み立てた状態の斜視図である。
【０００８】
図１は内面パネル１の板紙の展開図で、全体が概略長方形で、長方形の底面３の右辺の折り曲げ線５を介して底面３と同一大きさの長方形の側面６を連ねる。側面６の上辺の折り曲げ線７を介して正方形の正面８を連ね、正面８の上辺の折り曲げ線９を介して前記側面６と同一大きさの長方形の側面１０を連ね、側面１０の上辺の折り曲げ線１１を介して前記正面８と同一大きさの正方形の背面１２を連ねる。なお、図示の正面８を背面に、背面１２を正面とすることは自由である。
【０００９】
底面３の左辺の折り曲げ線１３を介して底面フラップ１４を連ねる。この折り曲げ線１３の途中に２個の切れ込み１５を刻設する。また、この底面３の上辺の折り曲げ線１６、下辺の折り曲げ線１７を介して、底面フラップ１８・１９をそれぞれ連ねる。
【００１０】
正面８の右辺の折り曲げ線２０を介して正面フラップ２１を連ねる。
【００１１】
側面１０の左辺の前記切れ込み１５に対応する箇所に２個の差し込み片３９を突設する。差し込み辺２１は折り曲げ線２２で折り曲げられる。
【００１２】
背面１２の右辺の折り曲げ線２３を介して背面フラップ２４を連ね、背面１２の上辺の折り曲げ線２５を介して糊代２６を連ねる。
【００１３】
外面パネル２は板紙で、図２に示すように長方形で、その底面４は前記内面パネル１の底面３より若干長い長方形で、底面４の左右の折り曲げ線３１・３２を介して前記底面４と同じ大きさの側面３３・３４を連ね、側面３３・３４の左辺の折り曲げ線３５、右辺の折り曲げ線３６にはそれぞれ天面３７・３８を連ねる。
【００１４】
次に、本ラッピングボックスの組み立てについて、図３〜図５に基づいて説明する。
【００１５】
まず、図３に示すように、内面パネル１の底面３の外面に接着剤を塗布し、外面パネル２の底面４内面と接着する。内面パネル１の底面３が外面パネル２の底面４より短く設定してある。
【００１６】
次に、図４に示すように、折り曲げ線９で折り曲げて側面１０・背面１２の内面を正面８・側面６の内面に当接させ、続いて背面１２端部の糊代２６を折り曲げ線２５で内面側に折り曲げ、その内面と側面１０端部の外面とを接着する。内面パネル１は折り畳まれて嵩張らない保管場所を取らない状態である。
【００１７】
組み立ては次のようにして行う。図４で、折り曲げ線１１・７を折り曲げて側面１０・背面１２・側面６・正面８を四角筒状にし、折り曲げ線５で底面３側に折り曲げて前記四角筒状の側面１０・背面１２・側面６・正面８を起立させる。次に、図５に示すように、内面パネル１の底面３の周辺の底面フラップ１９・底面フラップ１４・底面フラップ１８をそれぞれ折り曲げ線１７・１３・１６で内面側に折り曲げて起立させ、前記側面１０・背面１２・側面６・正面８の四角筒状体の下部内面側に挿入し、差し込み片３９を切れ込み１５に挿入しロックして組み立てる。四角筒状体を形成し、差し込み片３９を切れ込み１５に挿入しロックするだけで組み立てができるので、組み立てが至極簡単である。
【００１８】
商品の収容も広い開口の四角筒状体の開口から行うので収容がし易い。
【００１９】
本ラッピングボックスは美粧性に優れ、そのままでギフトパッケージとして使用できる。例えば７２０ｍ１のワインのギフトパッケージとして使用できる。
【００２０】
正面８・背面１２の上部にはそれぞれ正面フラップ２１・背面フラップ２４を連ねて、正面８・背面１２の上部に隙間ができるのを防止し、美粧性を向上させている。
【００２１】
また、本ラッピングパネルは、底面は内面パネル１の底面３と外面パネル２の底面４とが広い面積で接着されて強度が向上し、重量のある商品でも収容できる。
【００２２】
次に、別の実施例について述べる。
【００２３】
図６は本発明の内面パネル４１の展開図、図７は本発明の外面パネル４２の展開図、図８は内面パネル４１の底面４３に外面パネル４２の底面４４を接着した平面図、図９は内面パネル４１を折り畳んだ状態の平面図、図１０は本ラッピングボックスを組み立てた状態の斜視図である。
【００２４】
図６は内面パネルの板紙の展開図で、全体が概略長方形で、正方形の底面４３の下辺の折り曲げ線４５を介して長方形の正面４６を連ねる。正面４６の右辺の折り曲げ線４７を介して前記正面４６と同じ大きさの側面４８を連ね、側面４８の右辺の折り曲げ線４９を介して前記正面４６と同じ大きさの背面５０を連ね、正面４６の左辺の折り曲げ線５１を介して正面４６と同じ大きさの長方形の側面５２を連ねる。
【００２５】
底面４３の上辺の折り曲げ線５３を介して底面フラップ５４を連ね、折り曲げ線５３中央の底面フラップ５４寄りに切れ込み５５を刻設する。
【００２６】
側面５２の左辺の折り曲げ線５６を介して糊代５７を連ねる。
【００２７】
正面４６・背面５０の下辺の折り曲げ線５８・５９を介してそれぞれ天面フラップ６０・６１を連ねる。
【００２８】
背面５０の上辺中央の折り曲げ線６２を介して前記切れ込み５５に対応する差し込み片６３を連ねる。
【００２９】
外面パネル４２は板紙で、図７に示すように長方形で、その底面４４は前記内面パネル４１の底面４３より若干長い長方形で、底面４４の左右の折り曲げ線６４・６５を介して前記底面４４より狭幅の長方形の側面６６・６７を連ね、側面６６・６７の左右の折り曲げ線６８・６９を介して長方形の天面７０・７１を連ねる。
【００３０】
次に、本ラッピングボックスの組み立てについて、図８〜図１０に基づいて説明する。      
【００３１】
まず、図８に示すように、内面パネル４１の底面４３の外面に接着剤を塗布し、外面パネル４２の底面４４内面と接着する。内面パネル４１の底面４３が外面パネル４２の底面４４より短く設定してある。
【００３２】
次に、図９に示すように、折り曲げ線５１で側面５２を内面側に折り曲げ、折り曲げ線４９で背面５０を内面側に折り曲げ、糊代５７の外面と背面５０の端部内面とを接着する。内面パネル４１は折り畳まれて嵩張らない保管場所を取らない状態である。
【００３３】
組み立ては次のようにして行う。図９で折り曲げ線５１・４７を折り曲げて、側面５２・背面５０・側面４８・正面４６を四角筒状にし、折り曲げ線４５で底面４３側に折り曲げて前記四角筒状の側面５２・背面５０・側面４８・正面４６を起立させる。次に、図１０に示すように、底面フラップ５４を折り曲げ線５３で折り曲げて起立させ、前記側面５２・背面５０・側面４８・正面４６の四角筒状体の下部内面側に挿入し、差し込み片６３を切れ込み５５に挿入しロックして組み立てる。四角筒状体を形成し、差し込み片６３を切れ込み５５に挿入しロックするだけで組み立てができるので、組み立てが至極簡単である。
【００３４】
商品の収容も広い開口の四角筒状体の開口から行うので、収容がし易い。
【００３５】
本ラッピングボックスは美粧性に優れ、そのままでギフトパッケージとして使用できる。
【００３６】
正面４６・背面５０の上部にはそれぞれ天面フラップ６０・６１を連ねて、天面７０・７１と正面４６・背面５０との間に隙間ができるのを防止し、美粧性を向上させている。      
【００３７】
また、本ラッピングボックスは、底面は内面パネル４１の底面４３と外面パネル４２の底面４４とが広い面積で接着されて強度が向上し、重量のある商品でも収容できる。
【図面の簡単な説明】
【００３８】
【図１】本発明の具体的な一実施例の内面パネルの展開図である。
【図２】外面パネルの展開図である。
【図３】内面パネルの底面に外面パネルの底面を接着した状態の平面図である。
【図４】内面パネルを折り畳んだ状態の平面図である。
【図５】本ラッピングボックスを組み立てた状態の斜視図である。
【図６】本発明の他の実施例の内面パネルの展開図である。
【図７】外面パネル展開図である。
【図８】内面パネルの底面に外面パネルの底面を接着した状態の平面図である。
【図９】内面パネルを折り畳んだ状態の平面図である。
【図１０】本ラッピングボックスを組み立てた状態の斜視図である。
【符号の説明】
【００３９】
１・４１…内面パネル
２・４２…外面パネル
４・４４…外面パネルの底面
３・４３…内面パネルの底面
３９・６３…差し込み片
１５・５５…切れ込み
【図１】
2005212831.tif 000003
【図２】
2005212831.tif 000004
【図３】
2005212831.tif 000005
【図４】
2005212831.tif 000006
【図５】
2005212831.tif 000007
【図６】
2005212831.tif 000008
【図７】
2005212831.tif 000009
【図８】
2005212831.tif 000010
【図９】
2005212831.tif 000011
【図１０】
2005212831.tif 000012